(57)【要約】【課題】印刷機、折機、コンベヤ、スタッカーバンドラー、等からなる印刷物の製造ラインにおける印刷物の数量を精度良く計数することができる印刷物計数装置を提供する。【解決手段】設定入力により必要とする印刷物の数量である必用数量を設定する必用数量設定手段と、開始入力を起点として印刷機によって印刷された印刷物の数量である印刷数量を計数する印刷数量計数手段と、前記印刷機によって印刷され搬送径路に存在する印刷物の数量である搬送数量を印刷速度に基づいて演算する搬送数量演算手段と、前記印刷数量と前記搬送数量とを加算して総印刷数量を演算する総印刷数量演算手段と、すくなくとも前記必要数量と前記総印刷数量を表示する表示手段とを具備する印刷物計数装置。【選択図】  図３
2010221511.tif 000002
【特許請求の範囲】
【請求項１】
設定入力に基づいて必要とする印刷物の数量である必用数量を設定する必用数量設定手段と、
開始入力を起点として印刷機によって印刷された印刷物の数量である印刷数量を計数する印刷数量計数手段と、
前記印刷機によって印刷され搬送径路に存在する印刷物の数量である搬送数量を印刷速度に基づいて演算する搬送数量演算手段と、
前記印刷数量と前記搬送数量とを加算して総印刷数量を演算する総印刷数量演算手段と、
すくなくとも前記必要数量と前記総印刷数量を表示する表示手段と、
を具備することを特徴とする印刷物計数装置。
【請求項２】
請求項１に記載の印刷物計数装置において、前記必要数量に前記総印刷数量が到達したときに前記印刷機による印刷を停止させる印刷停止手段を具備することを特徴とする印刷物計数装置。
【請求項３】
請求項１または２に記載の印刷物計数装置において、抜取入力に基づいて前記搬送径路から抜き取った印刷物の数量である抜取数量を設定する抜取数量設定手段を具備し、前記総印刷数量演算手段は前記印刷数量と前記搬送数量とを加算し、そこから前記抜取数量を減算して総印刷数量を演算することを特徴とする印刷物計数装置。
【請求項４】
請求項１〜３のいずれかに記載の印刷物計数装置において、前記印刷速度と前記搬送数量との関係を記述する変換表を備え、前記搬送数量演算手段は前記変換表を参照して前記搬送数量を演算することを特徴とする印刷物計数装置。
【請求項５】
請求項４に記載の印刷物計数装置において、前記搬送径路の利用形態に対応するものとして複数の前記変換表を備え、選択入力により前記搬送数量演算手段が参照する変換表を選択する変換表選択手段を具備することを特徴とする印刷物計数装置。
【発明の詳細な説明】
【技術分野】
【０００１】
本発明は印刷の技術分野に属する。特に、印刷機、折機、コンベヤ、スタッカーバンドラー、等からなる印刷物の製造ラインにおける印刷物の数量を精度良く計数することができ、さらにその印刷物を含めた総印刷数量を計数することができる印刷物計数装置に関する。
【背景技術】
【０００２】
オフセット輪転印刷においては印刷を行なうだけでなく、印刷物に対してインラインで折、断裁、結束までが一般的に行われる。すなわち、オフセット輪転印刷の製造ラインは印刷機、折機、コンベヤ、スタッカーバンドラー、等からなるライン構成となっており、印刷物は非常に長いパス（径路）を経由して排出される。また、折種、紙種などの異なる品目の切替に対応して製造条件をその度に変更する必要がある。そのため、印刷機における印刷速度、コンベヤにおける搬送速度、等が変わる。それらが変わることによって、その長いパスに存在する印刷物の数量も変化する。このようにパスが長く、ライン速度等が変更されることで製造ラインに存在する印刷物の数量を作業者が正確に把握することは極めて困難であるという問題がある。
更に、印刷中に突発的な印刷不良が発生することがあり、突発的な不良が発生すると作業者は不良が存在する周辺の印刷物を手作業で抜取って対応する。しかし、このときの抜取数量の定量化は極めて困難である。そのため、突発的な印刷不良が発生するようなことがあれば、製造ラインに存在する印刷物の数量を作業者が正確に把握することは不可能であるという問題がある。
従来においては、たとえば、印刷機から搬出された正紙を所定数量結束、積み重ねるスタッカバンドラーと、スタッカバンドラーの正紙束の一定単位束をパレタイズするパレタイズロボットを備え、パレタイズロボットのパレタイズ信号から正紙数量を算出、集計するデータ収集装置とコンピュータから構成され、印刷正紙の精確な生産量を自動的に算出、集計する印刷機の生産管理装置の発明が知られている（特許文献１）。
また、オフセット輪転印刷機の各部の状態を示す状態信号に基づく損紙振分け条件表を予め記憶しておき、稼動中のオフセット輪転印刷機から入力される状態信号を処理し、損紙振分け条件表に記述されている損紙発生条件が成立している間に使用した印刷用紙の数量を、折胴の回転を検出するエンコーダの信号を用いてカウントすることにより、損紙発生条件で定義されている発生要因で生じた損紙の数量をカウントする員数カウント装置の発明が知られている（特許文献２）。
しかしながら、これらの発明においては、上述の製造ラインにある印刷物の数量は考慮されていない。したがって、作業者は印刷中に印刷物が必要数量に達したかどうかを製造ラインから排出された数量のみで判断を行うことになる。その結果、製造ラインには多量の良品印刷物が存在する状態で機械停止を行うという、必用以上に生産を行って材料等に係る変動費や設備等に係る固定費を無駄にする作業が慢性的に行われていた。
【先行技術文献】
【特許文献】
【０００３】
【特許文献１】特開平６−４７９０４
【特許文献２】特開２００７−１５２７７１
【発明の概要】
【発明が解決しようとする課題】
【０００４】
本発明は上記の問題を解決するために成されたものである。その目的は、印刷機、折機、コンベヤ、スタッカーバンドラー、等からなる印刷物の製造ラインにおける印刷物の数量を精度良く計数することができ、さらにその印刷物を含めた総印刷数量を計数することができる印刷物計数装置を提供することにある。
【課題を解決するための手段】
【０００５】
本発明の請求項１に係る印刷物計数装置は、設定入力に基づいて必要とする印刷物の数量である必用数量を設定する必用数量設定手段と、開始入力を起点として印刷機によって印刷された印刷物の数量である印刷数量を計数する印刷数量計数手段と、前記印刷機によって印刷され搬送径路に存在する印刷物の数量である搬送数量を印刷速度に基づいて演算する搬送数量演算手段と、前記印刷数量と前記搬送数量とを加算して総印刷数量を演算する総印刷数量演算手段と、すくなくとも前記必要数量と前記総印刷数量を表示する表示手段とを具備するようにしたものである。
また、本発明の請求項２に係る印刷物計数装置は、請求項１に係る印刷物計数装置において、前記必要数量に前記総印刷数量が到達したときに前記印刷機による印刷を停止させる印刷停止手段を具備するようにしたものである。
また、本発明の請求項３に係る印刷物計数装置は、請求項１または２に係る印刷物計数装置において、抜取入力に基づいて前記搬送径路から抜き取った印刷物の数量である抜取数量を設定する抜取数量設定手段を具備し、前記総印刷数量演算手段は前記印刷数量と前記搬送数量とを加算し、そこから前記抜取数量を減算して総印刷数量を演算するようにしたものである。
また、本発明の請求項４に係る印刷物計数装置は、請求項１〜３のいずれかに係る印刷物計数装置において、前記印刷速度と前記搬送数量との関係を記述する変換表を備え、前記搬送数量演算手段は前記変換表を参照して前記搬送数量を演算するようにしたものである。
また、本発明の請求項５に係る印刷物計数装置は、請求項４に係る印刷物計数装置において、前記搬送径路の利用形態に対応するものとして複数の前記変換表を備え、選択入力により前記搬送数量演算手段が参照する変換表を選択する変換表選択手段を具備するようにしたものである。
【発明の効果】
【０００６】
本発明の請求項１に係る印刷物計数装置によれば、必用数量設定手段により必要とする印刷物の数量である必用数量がその設定入力に基づいて設定され、印刷数量計数手段により開始入力を起点として印刷機によって印刷された印刷物の数量である印刷数量が計数され、搬送数量演算手段により前記印刷機によって印刷され搬送径路に存在する印刷物の数量である搬送数量が印刷速度に基づいて演算され、総印刷数量演算手段により前記印刷数量と前記搬送数量とが加算されて総印刷数量が演算され、表示手段によりすくなくとも前記必要数量と前記総印刷数量が表示される。したがって、印刷機、折機、コンベヤ、スタッカーバンドラー、等からなる印刷物の製造ラインにおける印刷物の数量を精度良く計数することができ、さらにその印刷物を含めた総印刷数量を計数することができる印刷物計数装置が提供される。その結果として、製造ラインには多量の良品印刷物が存在する状態で機械停止を行うという、必用以上に生産を行って材料等に係る変動費や設備等に係る固定費を無駄にする作業を無くすことができる。
また、本発明の請求項２に係る印刷物計数装置によれば、請求項１に係る印刷物計数装置において、印刷停止手段により前記必要数量に前記総印刷数量が到達したときに前記印刷機による印刷が停止させられる。したがって、必用数量だけの印刷が行われたときに自動停止でき余分の印刷を行う無駄を確実に無くすことができる。
また、本発明の請求項３に係る印刷物計数装置によれば、請求項１または２に係る印刷物計数装置において、抜取数量設定手段により前記搬送径路から抜き取った印刷物の数量である抜取数量がその抜取入力に基づいて設定され、前記総印刷数量演算手段により前記印刷数量と前記搬送数量とが加算され、そこから前記抜取数量が減算されて総印刷数量が演算される。したがって、抜取りが行われる場合であっても抜取数量が考慮された総印刷数量が得られる。
また、本発明の請求項４に係る印刷物計数装置によれば、請求項１〜３のいずれかに係る印刷物計数装置において、前記印刷速度と前記搬送数量との関係を記述する変換表が備えられており、前記搬送数量演算手段により前記変換表が参照されて前記搬送数量が演算される。したがって、参照により搬送数量が得られる変換表を使用することができ製造ラインの実態に容易に一致させることができる。
また、本発明の請求項５に係る印刷物計数装置によれば、請求項４に係る印刷物計数装置において、前記搬送径路の利用形態に対応するものとして複数の前記変換表が備えられており、変換表選択手段により前記搬送数量演算手段が参照する変換表がその選択入力により選択される。したがって、印刷品目によって製造ラインの利用形態が変更となる場合であっても変換表の選択入力だけで対応することができる。
【図面の簡単な説明】
【０００７】
【図１】本発明の印刷物計数装置とその周辺の構成の一例を示す説明図である。
【図２】本発明の印刷物計数装置が適用される印刷機の構成の一例を示す図である。
【図３】本発明の印刷物計数装置における構成の一例を示すブロック図である。
【図４】印刷速度と搬送数量の実測データに基づいて一次回帰式（検量線）を得た一例を示す図である。
【図５】本発明の印刷物計数装置における動作の一例を示すフロー図である。
【発明を実施するための形態】
【０００８】
次に、本発明の実施の形態について図を参照しながら説明する。最初に、本発明の印刷物計数装置とその周辺の構成について説明する。その構成の一例を図１に示す。
本発明の印刷物計数装置はＰＬＣ（Plogramable Logic Controller）、パーソナルコンピュータシステム、等のデータ処理装置のソフトウェアとハードウェアによって実現することができる。印刷物計数装置は、図１に示す一例においては、ＰＬＣを使用している。図１に示すタッチパネル付ディスプレイはそのＰＬＣにおけるマン・マシン・インタフェースである。作業者はタッチパネル付ディスプレイにおいて印刷物計数装置に対する条件設定（必要印刷数量、変換表の選択、等）の入力を行う。また、印刷物計数装置はタッチパネル付ディスプレイに設定内容（必要印刷数量、等）、演算結果（総印刷数量、等）のデータ表示を行う。
【０００９】
印刷物計数装置はオフセット輪転印刷の製造ライン、すなわち印刷機、折機、コンベヤ、スタッカーバンドラー、等からなる製造ラインにおいて、それらの状態を示す信号を入力する。その信号は、図１において入力信号として示されている。入力信号は、たとえば、新しい品目の印刷において良品印刷物を印刷する印刷条件の設定が済んで製品（中間製品）となる印刷物の印刷を開始する開始信号、不良印刷物の除去や抜取検査のため印刷物を通常の搬送径路から抜取する機構の抜取信号、等である。印刷物計数装置はこの入力信号に基づいて印刷物の数量を計数する動作、総印刷数を演算する動作、等を行う。
また、印刷物計数装置は印刷機の動作を制御する信号、すなわち図１に示す出力信号を出力する。出力信号は、たとえば、必要印刷数に総印刷数が到達したときに印刷機による印刷を停止させるための停止信号である。
【００１０】
本発明の印刷物計数装置が適用される印刷機の構成の一例を図２に示す。図２においては、オフセット輪転印刷機が示されている。その給紙部において巻取体から巻解かれたウェブ（印刷用紙）は印刷部に送給される。印刷部においてウェブの両面に各４色（ＹＭＣＫ）インキによる重ね刷りが行われる。その後、ウェブはドライヤーを通過し印刷面のインキ乾燥（ヒートセット）が行われる。オフセット輪転印刷機の排紙部においてインキ乾燥が行われたウェブは排出する。このとき、排出部のウェブガイドコントローラ（図示せず）はウェブの左右方向（移送方向に対して直角方向）の位置を制御する。この制御は次の折機においてウェブの適正な折が行われるようにするためである。ウェブは折機において折られさらに切断が行われ折丁となる。折丁は羽根車によって個々に分離され等間隔となるようにコンベヤーに載せられる。コンベヤの延長上にスタッカーバンドラーが存在し、スタッカーバンドラーにおいて折丁は所定の枚数に結束される。その結束体はパレット（図示せず）に移送され、パレットの上に積み上げられる。
このように、オフセット輪転印刷の製造ラインは印刷機、折機、コンベヤ、スタッカーバンドラー、等からなるライン構成となっており、印刷物（折丁）は非常に長いパス（径路）を経由して排出される。
【００１１】
印刷物計数装置とその周辺の構成について説明した。次に、本発明の印刷物計数装置の構成について説明する。本発明の印刷物計数装置における構成の一例を図３に示す。図３において、１００は印刷物計数装置（本体）、１０１は表示部、１０２は入力部、２００は不良抜取部、３００は印刷機制御部である。また、印刷物計数装置１００において、１０は記憶部、２０は演算部である。また、記憶部１０において、１１は必用数量、１２は印刷数量、１３は搬送数量、１４は抜取数量、１５は総印刷数量、１６は第１変換表、１７は第２変換表、１８は表示データである。また、演算部２０において、２１は必要数量設定手段、２２は印刷数量計数手段、２３は搬送数量演算手段、２４は抜取数量設定手段、２５は総印刷数量演算手段、２６は印刷停止手段、２７は変換表選択手段、２８は表示手段である。
印刷物計数装置（本体）１００は、すでに説明したように、ＰＬＣ、パーソナルコンピュータシステム、等のデータ処理装置のソフトウェアとハードウェアによって実現することができる。
表示部１０１は液晶ディスプレイ等の印刷物計数装置１００の表示部である。表示部１０１は表示手段２４によって生成された表示データを画像として表示（可視化）する。
入力部１０２はタッチパネル、キーボード、等の印刷物計数装置１００の入力部である。この入力部１０２と表示部１０１とで印刷物計数装置１００のマン・マシン・インタフェースを形成する。
【００１２】
抜取部２００は、不良印刷物を抜取るため、または抜取検査を行うために作業者が印刷物の搬送径路において手作業で抜取る部分である。手作業で抜取ったときには、作業者が抜取った印刷物の数量（抜取数量）を抜取部２００または入力部１０２において手入力することによって抜取数量設定手段が抜取数量１４を設定する（記憶部１０に記憶する）ことができる。
なお、印刷機上で印刷物を自動検査する装置（印刷物検査装置）と連動して、印刷物の搬送径路において自動的に不良印刷物をリジェクトする部分（リジェクト部）と抜取部２００とを同一部分とすることができる。自動で抜取った（リジェクトした）ときには、抜取部２００または自動検査装置からは抜取信号が出力される。上述の手入力またはこの抜取信号に基づいて抜取数量設定手段が抜取数量を設定することができる。また、別方式として、印刷物検査装置と連動して不良印刷物をリジェクトするときには、リジェクトする印刷数量に相当する分だけ印刷数量計数手段による計数を一時停止する方式とすることもできる。
印刷機制御部３００は図１、図２に示した印刷機（オフセット輪転印刷機）の制御部である。印刷物計数装置はこの印刷機制御部３００を介して印刷機を制御することができる。たとえば、必要印刷数量に総印刷数量が到達したときに印刷を停止する制御を行う。
【００１３】
印刷物計数装置１００は記憶部１０と演算部２０を有する。記憶部１０は計数値、設定値、演算値、等のデータを記憶する部分であり、具体的には必用数量１１、印刷数量１２、搬送数量１３、抜取数量１４、総印刷数量１５、第１変換表１６、第２変換表１７、表示データ１８を記憶する。
必用数量１１は製品としての印刷物の必用数量である。生産（印刷から結束までの工程）によってこの必用数量を確保しなければならない。一方、必用数量を大幅に超えて生産することは無駄であるから避けなければならない。この必用数量１１は作業者が印刷物計数装置１００の入力部１０２から印刷物の数量である必用数量の設定入力を行うことにより、印刷物計数装置１００の必用数量設定手段２１がその必用数量を記憶部１０に記憶することで、印刷物計数装置１００に対する設定が行われたことになる。
印刷数量１２は印刷機によって印刷された製品（中間製品）としての印刷物の数量である。印刷数量１２は製品としての印刷物の開始入力を起点として印刷機によって印刷された印刷物の数量である印刷数量を印刷数量計数手段２２が計数した値である。印刷数量１２は製品としての印刷物の数量であるから、印刷開始時の条件出し等において印刷された非製品の印刷物（不良印刷物）については印刷数量に含まれない。
【００１４】
搬送数量１３は搬送径路に存在する印刷物（製品としての印刷物）の数量である。この場合の搬送径路は製品としての印刷物すなわち折られた印刷物（折丁）の搬送径路である。具体的には、折機で折の済んだ後であって、スタッカーバンドラーの前の搬送径路である。この搬送径路に存在する印刷物の数量は、印刷機の版胴の回転速度に同期した速度で動作する部分（折機）については印刷速度（版胴の回転速度）に係わらず一定である。しかし、コンベヤのように印刷速度に係わらず一定の速度で動作する部分については印刷速度に依存することになる。印刷速度が遅いときにはコンベヤ上の印刷物は粗でありコンベヤ上に存在する印刷物の数量は少ない。一方、印刷速度が速いときにはコンベヤ上の印刷物は密でありコンベヤ上に存在する印刷物の数量は多い。したがって、搬送数量１３は印刷速度に基づいて搬送数量演算手段２３が演算し記憶部１０に記憶した搬送数量であり、印刷速度に依存している。
【００１５】
抜取数量１４は搬送径路から抜き取った印刷物の数量である。抜取数量１４は抜取入力に基づいて抜取数量設定手段２４が設定する（記憶部１０に記憶する）。
総印刷数量１５は印刷数量１２と搬送数量１３とを加算した値である。さらに、取数量１４が考慮されるときには、総印刷数量１５は印刷数量１２と搬送数量１３とが加算され、そこから抜取数量１４が減算された値である。総印刷数量１５は印刷数量演算手段２５が演算して記憶部１０に記憶する。
第１変換表１６と第２変換表１７は印刷速度と搬送数量１３との関係を記述する表である。搬送数量演算手段２３は印刷速度を入力しいずれかの変換表を参照して搬送数量１３を演算する。変換表は、図３においては第１変換表１６と第２変換表１７の２つが示されているが、製造ラインの搬送径路部分の利用形態に対応するものとして複数の変換表を備えることができる。搬送径路部分の利用形態としては、コンベヤーを１列にして搬送する一列出し、コンベヤーを２列にして搬送する２列出し、等がある。搬送径路部分の利用形態に応じて、当然、搬送径路に存在する印刷物（折丁）の数量が異なる。出搬送数量演算手段２３が実際に参照する変換表は変換表選択手段２７が選択した変換表である。
表示データ１８は表示部１０１に表示するためのデータである。言い換えると、表示手段２８によって表示データ１８に書き込まれたデータを表示部１０１が表示する。
【００１６】
演算部２０は入力されたデータ、記憶部１０に記憶されたデータ、等に対して、データ処理（入出力、演算、等）を行う部分であり、具体的には必要数量設定手段２１、印刷数量計数手段２２、搬送数量演算手段２３、抜取数量設定手段２４、総印刷数量演算手段２５、印刷停止手段２６、変換表選択手段２７、表示手段２８を備える。
必要数量設定手段２１は作業者が入力部１０２において設定入力を行った製品としての印刷物（折丁）の必要数量を記憶部１０に記憶する。その記憶された必要数量が必用数量１１である。
印刷数量計数手段２２は作業者が入力する開始入力を起点として印刷機によって印刷された印刷物の数量である印刷数量を計数し、記憶部１０に印刷数量１２として記憶する。開始入力は刷り出しにおける印刷条件の調整が終了したときに、以降の印刷物が製品となる印刷物であることを示す入力である。印刷数量計数手段２２は印刷機制御部３００を通じて印刷機の版胴の回転信号を入力しており。この回転信号に基づいて印刷数量を計数する。すなわち、開始入力が行われる時点において印刷数量１２はゼロであり、その後において印刷数量１２が増加する。一方、開始入力が行われる時点においては、搬送径路には製品としての印刷物が定常状態で存在する。したがって、開始入力が行われる時点において印刷数量１２がゼロであっても総印刷数量１５はゼロではない。
なお、印刷機が印刷物検査装置とリジェクト装置（たとえば、前述した抜取部２００を共用してもよい）とを装備しており、印刷物検査装置と連動して不良印刷物を自動的にリジェクトするときには、リジェクトする印刷数量に相当する分だけ印刷数量計数手段による計数を一時停止することができる。また、別方式として、リジェクトした印刷数量を前述した抜取数量１４に抜取数量設定手段が組み入れる方式とすることもできる。
【００１７】
搬送数量演算手段２３は印刷機によって印刷され搬送径路に存在する印刷物の数量である搬送数量１３を印刷速度（版胴の回転速度）に基づいて演算する。前述したように、コンベヤのように印刷速度に係わらず一定の速度で動作する部分については、印刷速度が遅いときにはコンベヤ上に存在する印刷物の数量は少なく、印刷速度が速いときにはコンベヤ上の印刷物の数量は多い。したがって、搬送数量１３は印刷速度に依存して変動する量である。搬送数量演算手段２３は、変換表を参照して
そこで、搬送径路部分の利用形態に対応付けして、印刷速度と搬送数量との関係を実測し、その実測データ（図４参照）に基づいて変換表を作成し印刷物計数装置に登録しておくことができる。その登録された変換表が、第１変換表１６と第２変換表１７である。搬送数量演算手段２３はその変換表を参照して印刷速度（版胴の回転速度）に対応する搬送数量を得ることができる。
また、印刷速度と搬送数量の関係は関数によって表現することができる。たとえば、（搬送数量）＝（係数）×（印刷速度）＋（定数）のように表現することができる。印刷速度と搬送数量の実測データに基づいて一次回帰式（検量線）を得た一例を図４に示す。実測データは、図４に一例を示すように、一つのデータ系列において線形であり、一次回帰式を適用することができる。そこで、製造ラインの搬送径路部分の利用形態の各々について実測データを得て（各々の実測データが一つのデータ系列）、その実測データに基づいて一次回帰式（図４の一例では、ｙ＝０．１３８３ｘ＋３９．６６７）を求めておく。そして、搬送径路部分の利用形態に対応付けして、その一次回帰式の係数と定数とを変換表（第１変換表１６、第２変換表１７、等）としておく。そのとき、搬送数量演算手段２３は、その変換表を参照して得た係数と定数とに基づいて、印刷速度（ｘ）から搬送数量（ｙ）を得ることができる。
【００１８】
抜取数量設定手段２４は抜取入力に基づいて搬送径路から抜き取った印刷物の数量である抜取数量１４を設定する。前述したように、搬送径路からの印刷物の抜き取りは作業者の手作業または自動で行われ、作業者の手入力または自動で抜取った印刷物の数量入力すなわち抜取入力が行われる。
総印刷数量演算手段２５は印刷数量１２と搬送数量１３とを加算して総印刷数量１５を演算する。また、抜取数量１４がゼロでないときには、総印刷数量演算手段２５は印刷数量１２と搬送数量１３とを加算し、そこから抜取数量１４を減算して総印刷数量１５を演算する。
【００１９】
印刷停止手段２６は必要数量１１に総印刷数量１５が到達したときに印刷機による印刷を停止させる。これにより、必用数量１１だけの印刷が行われたときに自動停止でき余分の印刷を行う無駄を無くすことができる。
変換表選択手段２７は選択入力により搬送数量演算手段２３が参照する変換表（第１変換表１６、第２変換表１７、等）を選択する。印刷品目によって製造ラインの搬送径路部分の利用形態が異なるから、作業者はその利用形態に対応する変換表を選択する入力（選択入力）を入力部１０２において行う。変換表選択手段２７は、その選択された変換表が搬送数量演算手段２３が参照する変換表となるように処理を行う。なお、作業者に判り易い方法として、変換表の選択は利用形態を入力することでその利用形態に対応する変換表が自動選択されるように構成することができる。
表示手段２８はすくなくとも必要数量１１と総印刷数量１５を表示データ１８に書き込む。これにより表示部１０１は必要数量１１と総印刷数量１５を表示する。作業者はこの表示を監視することにより印刷の進行度合いを把握し印刷の終了時点を予測することができる。
【００２０】
以上、構成について説明した。次に、本発明の印刷物計数装置における動作について説明する。本発明の印刷物計数装置における動作の一例を図５にフロー図として示す。
まず、図５のステップＳ１において、作業者は入力部１０２のタッチパネルで設定値を入力する。具体的には、製品としての印刷物の必用数量の設定入力、製造ラインの搬送径路部分の利用形態またはそれに対応する変換表の選択入力、等の入力を行う。これらの入力に基づいて、印刷物計数装置の必用数量設定手段２１は必要数量１１を記憶部１０に記憶し、変換表選択手段２７は選択された変換表が搬送数量演算手段２３が参照する変換表となるように処理する。
その後、作業者は刷り出しにおける印刷条件の調整が終了したときに印刷数量の計数を開始する開始入力を行う。この開始入力を起点として印刷数量計数手段２２は印刷機によって印刷された印刷物の数量である印刷数量を計数し、記憶部１０に印刷数量１２として記憶する。印刷中においては印刷物計数装置の印刷数量計数手段２２は印刷機制御部３００を通じて印刷機の版胴の回転信号を入力しており、印刷数量の計数はその回転信号に基づいて行われる。
【００２１】
次に、ステップＳ２において、印刷中においては、印刷物計数装置の印刷数量計数手段２２は印刷数量を計数するのであるが、それだけではなく、印刷数量計数手段２２は印刷機制御部３００を通じて版胴が印刷位置（胴入り）にあることを示す着脱信号、印刷物検査装置によって検出された不良印刷物を除去するためのリジェクト信号、印刷速度、等の入力を行っている。それらの信号に基づいて、版胴が回転していても実際には印刷が行なわれていないときには、その間においては印刷数量の計数を停止する。また、印刷数量計数手段２２はリジェクト信号に基づいてリジェクトされた印刷物の数量に相当する分は印刷数量１２に含まれないようにする処理を行う。なお、別方式として、リジェクトされた印刷物の数量については抜取数量１４に含める方式とすることもできる。
一方、この印刷中において、印刷物計数装置の搬送数量演算手段２３は印刷機によって印刷され搬送径路に存在する印刷物の数量である搬送数量１３を印刷速度（版胴の回転速度）に基づいて演算する。このとき、ステップＳ１において選択された変換表（第１変換表、第２変換表、等のいずれか１つ）を参照する。具体的には、図３に一例を示すように、変換表の係数と定数から一次回帰式が定まり、その式に版胴回転速度（ｘ）を代入して搬送数量（ｙ）を演算する。
【００２２】
次に、ステップＳ３において、印刷中においては、作業者が印刷品質を確認する等のために印刷物を抜取ったときには、作業者が抜取った印刷物の数量（抜取数量）を抜取部２００または入力部１０２において手入力することによって抜取数量設定手段２４が抜取数量１４を設定する（記憶部１０に記憶する）。繰返し抜き取りが行われたときには、抜取数量設定手段２４は抜取った印刷物の累積値として抜取数量１４を設定する。なお、リジェクトされた印刷物の数量を印刷数量１２から減算するのではなく、抜取数量１４に加算する方式としてもよい。
一方、この印刷中において、印刷物計数装置の総印刷数量演算手段２５は印刷数量１２と搬送数量１３とを加算し、そこから抜取数量１４を減算して総印刷数量１５を演算する。
【００２３】
次に、ステップＳ４において、印刷中においては、表示手段２８はすくなくとも必要数量１１と総印刷数量１５を表示データ１８に書き込む。これによりタッチパネル付ディスプレイの表示部１０１は必要数量１１と総印刷数量１５を表示する。この表示により作業者は必要数量１１と総印刷数量１５と容易に比較することができる。したがって、作業者による印刷の進行度合の把握と印刷の終了時点の予測が容易かつ正確である。この印刷中において、印刷停止手段２６は必用数量１１と総印刷数量１５とを繰り返し比較している。そして、必用数量１１に総印刷数量１５が達しないときにはステップＳ２に戻って上述した以降のステップを繰返す。必要数量１１に総印刷数量１５が到達したときにはステップＳ５に進む。
次に、ステップＳ５において、印刷物計数装置における印刷停止手段２６は必要数量１１に総印刷数量１５が到達したときに印刷機による印刷を停止させる停止指令信号を印刷機制御部３００に出力する。
次に、ステップＳ６において、停止指令信号を入力した印刷機制御部３００は印刷速度を減速し停止する操作を行い印刷機における印刷が停止させられる。これにより、必用数量１１だけの印刷が行われたときに自動停止でき余分の印刷を行う無駄を無くすことができる。
【産業上の利用可能性】
【００２４】
印刷産業において利用可能である。オフセット輪転印刷に限らず、製品（中間製品）としての印刷物が個々に分離した形態となる印刷物（たとえば折丁、冊子）の製造ラインにおける印刷物の数量を精度良く計数するために有効に利用可能である。
【符号の説明】
【００２５】
１００  印刷物計数装置（本体）
１０１  表示部
１０２  入力部
２００  不良抜取部
３００  印刷機制御部
１０  記憶部
２０  演算部
１１  必用数量
１２  印刷数量
１３  搬送数量
１４  抜取数量
１５  総印刷数量
１６  第１変換表
１７  第２変換表
１８  表示データ
２１  必要数量設定手段
２２  印刷数量計数手段
２３  搬送数量演算手段
２４  表示手段
２５  印刷停止手段
２６  抜取数量設定手段
２７  変換表選択手段
【図１】
2010221511.tif 000003
【図２】
2010221511.tif 000004
【図３】
2010221511.tif 000005
【図４】
2010221511.tif 000006
【図５】
2010221511.tif 000007